(57)【要約】【課題】クレセントが取り付けられた戸の開口量を大きく採れると共に、クレセントの掛け金がクレセント受けから外れる方向の回動を規制するロック部材を操作する撮みの損傷防止を企図し、さらに、操作性のよいクレセントを提供する。【解決手段】サッシュ２に取り付けられる台座７と、この台座７に回転自在に支持されていて回転させることによりクレセント受け５に係脱自在に係合してサッシュ２の戸締まりをする掛け金２３と、この掛け金２３から、該掛け金２３の回転軸心に略直交する方向に突出するレバーハンドル２４とを有し、前記レバーハンドル２４に、掛け金２３をクレセント受け５に係合させた状態において、台座７側に設けられた係合部１９に係脱自在に係合して掛け金２３の回転を阻止するロック部材４５を組み込むと共に、このロック部材４５を操作する撮み４７をレバーハンドル２４の突出方向先端部に設ける。【選択図】      図１
2004211369.tif 000002
【特許請求の範囲】
【請求項１】
サッシュ（２）に取り付けられる台座（７）と、この台座（７）に回転自在に支持されていて回転させることによりクレセント受け（５）に係脱自在に係合してサッシュ（２）の戸締まりをする掛け金（２３）と、この掛け金（２３）から、該掛け金（２３）の回転軸心に略直交する方向に突出するレバーハンドル（２４）とを有し、前記レバーハンドル（２４）に、掛け金（２３）をクレセント受け（５）に係合させた状態において、台座（７）側に設けられた係合部（１９）に係脱自在に係合して掛け金（２３）の回転を阻止するロック部材（４５）を組み込むと共に、このロック部材（４５）を操作する撮み（４７）をレバーハンドル（２４）の突出方向先端部に設けたことを特徴とするクレセント。
【請求項２】
サッシュ（２）に取り付けられる台座（７）と、この台座（７）に回転自在に支持されていて回転させることによりクレセント受け（５）に係脱自在に係合してサッシュ（２）の戸締まりをする掛け金（２３）と、この掛け金（２３）から、該掛け金（２３）の回転軸心に略直交する方向に突出するレバーハンドル（２４）とを有し、掛け金（２３）をクレセント受け（５）に係合させた状態において、台座（７）側に設けられた係合部（１９）に係脱自在に係合して掛け金（２３）の回転を阻止するロック部材（４５）と、このロック部材（４５）の状態を制御して掛け金（２３）を施解錠するシリンダー（６４）とを前記レバーハンドル（２４）に組み込むと共に、前記シリンダー（６４）の内筒（４６）を掛け金（２３）の回転軸心に略直交する方向の軸心回りに回転自在としてレバーハンドル（２４）に組み込んだことを特徴とするクレセント。
【請求項３】
ロック部材（４５）は、レバーハンドル（２４）内に、掛け金（２３）の回転軸心に略直交する方向の軸心回りに回転自在に収納され、掛け金（２３）がクレセント受け（５）に係合した状態において、撮み（４７）をロック部材（４５）と一体的に回転させることでロック部材（４５）が係合部（１９）に対して係脱するように構成されていることを特徴とする請求項１又は２に記載のクレセント。
【請求項４】
台座（７）に、掛け金（２３）を回転自在に支持する支持部（１８）を設け、掛け金に前記支持部（１８）を挿通する支軸（３０）を設け、この支軸（３０）の外周面に係合面（３７）を一対形成し、掛け金（２３）がクレセント受け（５）に係合する係合位置において一方の係合面（３７）に接当すると共に、掛け金（２３）がクレセント受け（５）から外れた係合解除位置において他方の係合面（３７）に接当して、前記各位置で掛け金（２３）を位置決めする接当体（３８）を備え、この接当体（３８）は付勢手段（３９）の付勢力によって係合面（３７）に接当していて掛け金（２３）を強制的に回転させることにより係合面（３７）から外れるように構成されていることを特徴とする請求項１〜３のいずれかに記載のクレセント。
【請求項５】
ロック部材（４５）と一体回転すると共に、撮み（４７）によって回転操作されるロータ（４６）をレバーハンドル（２４）内に収納し、レバーハンドル（２４）の、ロータ（４６）を収納する収納部（４０）の内面に凹所（６２）を一対形成し、ロータ（４６）に弾性片（６０）を設け、この弾性片（６０）が、ロック部材（４５）が係合部（１９）に係合するロック位置で一方の凹所（６２）に係合し、且つ、ロック部材（４５）が係合部（１９）から外れたロック解除位置で他方の凹所（６２）に係合して、ロック部材（４５）を前記各位置で位置決めするように構成されていることを特徴とする請求項１〜４のいずれかに記載のクレセント。
【請求項６】
レバーハンドル（２４）を、該レバーハンドル（２４）の突出方向に略直交する方向に二つ割りにし、この二つ割りされたレバーハンドル（２４）の一方側（４１）と他方側（４２）との間に、ロック部材（４５）と、該ロック部材（４５）と一体回転すると共に撮み（４７）によって回転操作されるロータ（４６）とを収納する収納部（４０）を設けたことを特徴とする請求項１〜５のいずれかに記載のクレセント。
【発明の詳細な説明】
【０００１】
【発明の属する技術分野】
本発明は、例えば、引き違いサッシュ（引違い戸、引き違い窓等）や上げ下げサッシュ（上げ下げ戸、上げ下げ窓等）等のサッシュの戸締まりに用いられるクレセントに関するものである。
【０００２】
【従来の技術】
クレセントは、一般的に、引き違い戸の内側戸の召し合わせ框に取り付けられる台座と、この台座に回転自在に支持された掛け金と、この掛け金から、該掛け金の回転軸心に直交する方向に突出するレバーハンドルとを有し、レバーハンドルによって掛け金を回転させることにより、該掛け金が、外側戸の召し合わせ框に取り付けられたクレセント受けに係脱自在に係合して、引き違い戸の戸締まりをするようになっている。
【０００３】
このクレセントとして、施錠機能を備えたものがある（例えば、特許文献１参照）。
台座は召し合わせ框の戸の移動方向開き側に取り付けられ、掛け金は戸の移動方向の軸心回りに回転自在に取り付けられている。
台座には、係合凹部が設けられ、レバーハンドル内には、前記係合凹部に係脱自在に係合して掛け金の回転を阻止するロック部材と、ロック部材の操作を不能とするシリンダ錠とが組み込まれている。
【０００４】
係合凹部は、掛け金の回転軸心に直交する方向の外方に開放状に形成され、ロック部材は、掛け金の回転軸心に直交する方向に移動自在に設けられている。
また、シリンダ錠は、掛け金の回転軸心に平行な軸心回りに回転可能な内筒を備えており、このシリンダ錠のキーウェイは、戸の移動方向開き側に設けられている。
また、シリンダ錠の内筒には、回転軸心に対して偏心した偏心ピンが設けられ、ロック部材には、前記偏心ピンが嵌合する長孔が形成され、シリンダ錠の内筒を回転させると偏心ピンが長孔内を移動して、ロック部材が、掛け金の回転軸心に直交する方向に移動するように構成されている。
【０００５】
前記構成のものにあっては、キーがシリンダ錠の内筒のキーウェイに差し込まれ、且つ、ロック部材が係合凹部から外れた状態で、掛け金が回転自在とされ、掛け金がクレセント受けに係合した状態で、キーを回してシリンダ錠の内筒を９０°回転させることにより、ロック部材が移動して係合凹部に係合し、掛け金がクレセント受けから外れる方向の強制的な回転が不能とされる。
この状態で、キーがシリンダ錠の内筒のキーウェイから引抜き可能とされていて、キーを引き抜くことにより、内筒からタンブラーが突出して、レバーハンドルに形成された縦溝に挿入し、シリンダ錠の内筒を回せないように構成されている。
【０００６】
【特許文献１】
実開昭５７−１７３５４号公報
【０００７】
【発明が解決しようとする課題】
前記従来のものにあっては、キーをシリンダ錠の内筒に差し込んだ状態にあっては、キーが、戸の移動方向開き側に突出状とされているので、その分、内側戸の開口量が狭くなるという問題がある。
また、内側戸を開くときに、キーが戸枠側に接当して損傷する惧れがある。
また、シリンダ錠の内筒は、掛け金の回転軸心に平行な軸心回りに回転し、ロック部材は、掛け金の回転軸心に直交する方向に移動する構成であるので、偏心ピンと長孔によって、内筒の回転運動を、ロック部材の直線運動に変換しているが、これが、構造の複雑化、コストアップを招くという問題がある。
【０００８】
さらに、キーはレバーハンドルから掛け金の回転軸心方向に突出しているので、クレセントの施錠操作等をする場合、レバーハンドルを把持して掛け金を回転させて、該掛け金をクレセント受けに係合させ、その後、レバーハンドルから手を放し、キーを把持して操作するという動作が必要であり、操作性が悪いものである。
また、従来のものにおいて、シリンダ錠を施解錠操作するキーの鍵違いを多く採るには、シリンダ錠の内筒に組み込まれるタンブラーの個数を多くする必要があるが、従来のものにあっては、シリンダ錠の内筒は、掛け金の回転軸心に平行な軸心回りに回転自在として、レバーハンドルに組み込まれていることから、タンブラーの個数を多くすると、レバーハンドルの、掛け金回転軸心方向の厚みが厚くなり、クレセントが大型化すると共に、引違い戸の開口量にも影響を与えることとなるので、キーの鍵違いを豊富に採ることができないものである。
【０００９】
本発明は、前記問題点に鑑みて、前記問題を解消したクレセントを提供することを目的とする。
【００１０】
【課題を解決するための手段】
本発明が技術的課題を解決するために講じた技術的手段は、サッシュに取り付けられる台座と、この台座に回転自在に支持されていて回転させることによりクレセント受けに係脱自在に係合してサッシュの戸締まりをする掛け金と、この掛け金から、該掛け金の回転軸心に略直交する方向に突出するレバーハンドルとを有し、前記レバーハンドルに、掛け金をクレセント受けに係合させた状態において、台座側に設けられた係合部に係脱自在に係合して掛け金の回転を阻止するロック部材を組み込むと共に、このロック部材を操作する撮みをレバーハンドルの突出方向先端部に設けたことを特徴とする。
【００１１】
また、他の技術的手段は、サッシュに取り付けられる台座と、この台座に回転自在に支持されていて回転させることによりクレセント受けに係脱自在に係合してサッシュの戸締まりをする掛け金と、この掛け金から、該掛け金の回転軸心に略直交する方向に突出するレバーハンドルとを有し、掛け金をクレセント受けに係合させた状態において、台座側に設けられた係合部に係脱自在に係合して掛け金の回転を阻止するロック部材と、このロック部材の状態を制御して掛け金を施解錠するシリンダーとを前記レバーハンドルに組み込むと共に、前記シリンダーの内筒を掛け金の回転軸心に略直交する方向の軸心回りに回転自在としてレバーハンドルに組み込んだことを特徴とする。
【００１２】
また、ロック部材は、レバーハンドル内に、掛け金の回転軸心に略直交する方向の軸心回りに回転自在に収納され、掛け金がクレセント受けに係合した状態において、撮みをロック部材と一体的に回転させることでロック部材が係合部に対して係脱するように構成されているのがよい。
また、台座に、掛け金を回転自在に支持する支持部を設け、掛け金に前記支持部を挿通する支軸を設け、この支軸の外周面に係合面を一対形成し、掛け金がクレセント受けに係合する係合位置において一方の係合面に接当すると共に、掛け金がクレセント受けから外れた係合解除位置において他方の係合面に接当して、前記各位置で掛け金を位置決めする接当体を備え、この接当体は付勢手段の付勢力によって係合面に接当していて掛け金を強制的に回転させることにより係合面から外れるように構成されていてもよい。
【００１３】
また、ロック部材と一体回転すると共に、撮みによって回転操作されるロータをレバーハンドル内に収納し、レバーハンドルの、ロータを収納する収納部の内面に凹所を一対形成し、ロータに弾性片を設け、この弾性片が、ロック部材が係合部に係合するロック位置で一方の凹所に係合し、且つ、ロック部材が係合部から外れたロック解除位置で他方の凹所に係合して、ロック部材を前記各位置で位置決めするように構成されていてもよい。
また、レバーハンドルを、該レバーハンドルの突出方向に略直交する方向に二つ割りにし、この二つ割りされたレバーハンドルの一方側と他方側との間に、ロック部材と、該ロック部材と一体回転すると共に撮みによって回転操作されるロータとを収納する収納部を設けるのがよい。
【００１４】
【発明の実施の形態】
以下、本発明の実施の形態を図面を参照して説明する。
図１〜図１２は、本発明の第１の実施の形態を示しており、１はクレセントであり、このクレセント１は、建物の壁等に形成された開口を開閉する引き違い戸２等（引き違いサッシュ）の室内側戸（屋内側戸、内側戸）３の召し合わせ框３Ａに取り付けられ、室外側戸（屋外側戸、外側戸）４の召し合わせ框４Ａに取り付けられたクレセント受け５に係脱自在に係合させることで、引違い戸２が開かないように戸締まりをするものである。
【００１５】
このクレセント１は、図３に示すように、室内側戸３の召し合わせ框３Ａの、戸３の移動方向（開閉方向）開き側の端面にネジ６によって取付固定される台座７と、この台座７に回転自在に取り付けられたクレセント本体８とを有する。
なお、以下、室内側戸３の移動方向開き側を前又は正面、室内側戸３の移動方向閉じ側を後又は背面ともいい、室内外方向、屋内外方向又は引違い戸２等によって開閉される開口に直交する方向を左右方向という。
台座７は、本実施の形態ではダイキャスト製であり、召し合わせ框３Ａの端面との間にシム９（厚さ調整板）を介在して（又はシム９を介在させずに）、ネジ６によって取り付けられており、厚さの異なるシム９を適宜選択することにより、また、複数枚のシム９を重合させることにより、台座７（クレセント１）の、内側戸３に対する戸３の移動方向の取付位置が調整可能とされている。
【００１６】
なお、シム９は、台座７の背面形状に一致する矩形状に形成される。
また、台座７の正面側には、上下方向に長い矩形状の上下一対の嵌合凹部１０が形成され、この嵌合凹部１０には、  位置調整部材１２が上下・左右移動不能に嵌合されている。
この位置調整部材１２の正面側には、上下方向に長い矩形状の嵌合溝１３が形成され、この嵌合溝１３には、調整座１４が位置調整部材１２に対して上下方向移動自在で且つ左右方向に若干ガタのある状態で嵌合されており、ネジ６を、調整座１４、位置調整部材１２及び台座７（及びシム９を介在させる場合にはシム９）に正面側から貫通させて召し合わせ框３Ａにねじ込む等することにより、台座７が召し合わせ框３Ａに取り付けられている。
【００１７】
台座７及び位置調整部材１２（並びにシム９）に形成された、ネジ６の挿通孔１５，１６は、上下方向に長い長孔に形成されていて、台座７の上下方向の位置調整が可能とされている。
また、調整座１４に形成された、ネジ６の挿通孔１７は円形孔とされると共に、ネジ６の外径よりも若干大に形成され、この挿通孔１７とネジ６との間のガタ及び、位置調整部材１２の嵌合溝１３と調整座１４との間の左右方向のガタによって、台座７の左右方向の位置調整（微調整）が可能とされている。
【００１８】
また、位置調整部材１２は、図７（ａ）に示すように、嵌合溝１３及びネジ６の挿通孔１６が調整部材１２の左右方向中央部に形成されたものと、図７（ｂ）に示すように、嵌合溝１３及びネジ６の挿通孔１６が左右方向中央部から左右方向一側にオフセットした位置に形成されたものとの２種類用意され、これらを適宜選択的に使用することによって、台座７の左右方向の大幅な取付位置調整が可能とされている。
なお、嵌合溝１３及びネジ６の挿通孔１６が左右方向にオフセットされて形成された位置調整部材１２は、上下に反転させて嵌合凹部１０に嵌合させることにより、嵌合溝１３及びネジ６の挿通孔１６が左右方向一側にオフセットされた形態と、嵌合溝１３及びネジ６の挿通孔１６が左右方向他側にオフセットされた形態とを採ることができる。
【００１９】
また、台座７の嵌合凹部１０（及びシム９）に形成されたネジ６の挿通孔１５は、位置調整部材１２のネジ６の挿通孔１６が、左右方向中央部にある場合でも、左右方向にオフセットした位置にある場合でも対応できるように、位置調整部材１２のネジ６の挿通孔１６よりも左右方向に広幅に形成されている。
前述した台座７の位置調整手段によって、引違い戸２等に取り付けられたクレセントを前記構造の位置調整手段を有するクレセント１に交換する場合において、該クレセント１をクレセント受け５に対して、内側戸３の召し合わせ框３Ａに既に形成されているネジ孔を利用して最適位置に取り付けることができる。
【００２０】
台座７の正面側の上下方向中央部には、クレセント本体８を前後方向（戸３の移動方向）の軸心回りに回転自在に支持する支持部１８が前方突出状に設けられている。
この支持部１８は、正面及び背面に向けて開口状とされた筒状に形成されており、該支持部１８の外周面の前端側（突出端部側、先端側）の上部には、前方及び上方に開放状の凹部からなる係合部１９が形成されており、支持部１８の基部側下部には、ストッパ２０が形成されている。
【００２１】
クレセント本体８は、台座７に回転自在に支持されていると共にクレセント受け５に係脱自在に係合する掛け金２３と、この掛け金２３から回転軸心に略直交する方向に突出していてクレセント本体８を回転操作するためのレバーハンドル２４と、クレセント本体８を、前記掛け金２３がクレセント受け５に係合した状態にロックするロック機構２５とを有する。
掛け金２３は、基部２６と、この基部２６の背面側から側方に突出するフランジ２７と、このフランジ２７の縁部から正面側に立ち上がる係合壁２８とを備えている。
【００２２】
基部２６の背面側には、台座７の支持部１８に軸心回りに回転自在に外嵌する嵌合凹部２９が形成されていると共に、該嵌合凹部２９の中心部に位置していて、支持部１８に軸心回りに回転自在に内嵌（挿通）する支軸３０とが形成されており、これによって、クレセント本体８が、戸３の移動方向と一致する軸心回りに回転自在に支持されている。
クレセント本体８は、図４に実線で示すように、レバーハンドル２４が下向きの状態となって掛け金２３の係合壁２８がクレセント受け５から外れた状態である係合解除位置と、図４に仮想線で示すように、この係合解除位置から矢示Ａ方向（係合方向）に１８０°回転させて、レバーハンドル２４が上向きの状態となる係合位置とに位置変更自在とされており、クレセント本体８を前記係合解除位置から係合位置に回転させることにより、図３に示すように、係合壁２８がクレセント受け５のフック部５Ａに挿入されて係合し、引違い戸２が開かないように戸締まりされるようになっている。
【００２３】
また、図６に示すように、掛け金２３の基部２６の背面には、台座７に設けられたストッパ２０に、係合解除位置と係合位置とで接当する当たり３１が設けられ、クレセント本体８が係合解除位置にあるときには、当たり３１がストッパ２０に接当することで、クレセント本体８の図４反矢示Ａ方向の回転が規制され、クレセント本体８が係合位置にあるときには、当たり３１がストッパ２０に接当することで、クレセント本体８の矢示Ａ方向の回転が規制されるようになっている。
【００２４】
図２及び図８に示すように、台座７の背面側の上下方向中央部には、凹部３３が形成されていると共に、この凹部３３の底面から、支持部１８の内部の孔の後端上部側の縁部に沿うように、且つ、支持部１８の内部の孔の後端下部側の縁部の下方側に、クレセント本体８を係合解除位置と係合位置とに位置決めをする位置決め機構３４を収容する収容部３５を形成するように、後方突出状に壁部３６が形成されている。
クレセント本体８の支軸３０の先端側（後端側）は、凹部３３内に突出されており、この支軸３０の突出部分の外周面に一対の平坦面状の係合面３７が形成されている。
【００２５】
これら係合面３７は、支軸３０の径方向対称位置に形成されており、また係合面３７は、クレセント本体８が係合解除位置又は係合位置にあるときに、一方が上を向き、他方が下を向くように（上下方向に直交するように）形成されている。
位置決め機構３４は、前記係合面３７に面接触してクレセント本体８の回転を規制する接当体３８と、この接当体３８を上方に付勢して係合面３７に接当させる付勢手段３９（本実施の形態では、一対の圧縮コイルバネから構成されている）とを備えてなる。
【００２６】
接当体３８は、収容部３５に上下移動自在に収容されていてクレセント本体８の強制的な回動は許容するように構成されており、クレセント本体８を係合解除位置又は係合位置から付勢手段３９の付勢力に抗して回転させることにより、支軸３０外周面の係合面３７間の円弧面によって接当体３８が押圧されて下動して係合面３７から外れ、これにより、クレセント本体８の回転が許容され、係合位置又は係合解除位置で再び付勢手段３９の付勢力によって、接当体３８が係合面３７に面接触してクレセント本体８の回転を規制するようになっている。
【００２７】
また、支軸３０の先端側には、接当体３８の収容部３５からの外れ止め及び、支軸３０の支持部１８からの抜け止めをするワッシャ３２が外嵌され、このワッシャ３２は、支軸３０の先端をカシメることにより、支軸３０からの抜け止めがなされている。
図１、図２、図５、図９及び図１０に示すように、レバーハンドル２４は、筒状に形成されていて内部がロック機構２５を組み込む収納部４０とされており、該内部（収納部４０）は、ハンドル基端側が掛け金２３の嵌合凹部２９に連通しており、ハンドル先端側（レバーハンドル突出方向端部側）が開放状とされている。
【００２８】
また、レバーハンドル２４は、該レバーハンドル２４の突出方向（軸心方向）に略直交する方向で二つ割りされており、本実施の形態では、特に、掛け金２３の回転軸心方向で２分割されており、正面側部材４１（一方側）と、背面側部材４２（他方側）とから構成されている。
これにより、製作の容易化、コストダウンが図られている（レバーハンドル２４をダイキャストによって掛け金２３と一体形成すると、成形型の複雑化を招き、コスト高になる）。
【００２９】
正面側部材４１は、ダイキャストによって掛け金２３と一体形成され、掛け金２３の基部２６からクレセント本体８の回転軸心に略直交する方向に延びている。
背面側部材４２は、正面側部材４１の背面に重合され、本実施の形態では、正面側部材４１の重合面に設けられたリベット４３を、背面側部材４２の重合面に形成された段付きの挿入孔４４に挿入し且つカシメることにより、正面側部材４１と背面側部材４２とが一体化されている。
【００３０】
なお、背面側部材４２は、後述するロック機構２５のロック部材４５及びロータ４６をレバーハンドル２４に収納状とした状態で正面側部材４１に取付固定される。
ロック機構２５は、クレセント本体８が係合位置にあるときに台座７の係合部１９に係脱自在に係合してクレセント本体８の図４反矢示Ａ方向への強制的な回転を阻止するロック部材４５と、レバーハンドル２４の収納部４０内に、クレセント本体８の回転軸心に略直交する軸心（レバーハンドル２４の軸心）回りに回転自在に収納された円柱状のロータ４６と、このロータ４６を回転操作する撮み４７とから主構成されている。
【００３１】
ロック部材４５はレバーハンドル２４の収納部４０の基端側にクレセント本体８の回転軸心に略直交する軸心回りに回転自在に収納されており、このロック部材４５には、ロータ４６に形成された突部４９に嵌合する嵌合溝５０が形成されていて、該ロック部材４５がロータ４６に一体回転自在に結合されている。
なお、本実施の形態では、ロック部材４５がダイキャスト製で、ロータ４６が樹脂製であるので別体で形成されているが、ロック部材４５とロータ４６とを同材料によって一体形成してもよい。
【００３２】
また、ロック部材４５の先端側には、図１１（ｂ）及び図１２の仮想線で示すように、台座７の係合部１９に嵌まることにより、クレセント本体８が係合位置にある状態から図１１及び図４の反矢示Ａ方向に回転しないように規制する被係合部５１が形成されていると共に、ロック部材４５の被係合部５１が台座７の係合部１９に嵌まった状態であるロック位置から、ロック部材４５及びロータ４６を、軸心回りに図１１（ａ）及び図１２の反矢示Ｂ方向に９０°回転させて、図１１（ａ）及び図１２の実線で示すロック解除位置にすることにより、被係合部５１を係合部１９から外してクレセント本体８の回転を許容するための切欠部５２が形成されている。
【００３３】
したがって、クレセント本体８が係合解除位置から係合位置手前に至るまでは、ロータ４６及びロック部材４５はロック解除位置から回転させることができず、クレセント本体８が係合位置に位置してロック部材４５の被係合部５１が係合部１９に対応する位置にあるときにおいて、ロータ４６及びロック部材４５の回転が許容され、このときに、ロータ４６及びロック部材４５を矢示Ｂ方向に回転させてロック位置にすることにより、クレセント本体８の強制的な回転が規制されるようになっている。
【００３４】
また、ロータ４６及びロック部材４５は、クレセント本体８が係合位置にあるときに、ロック解除位置から反矢示Ｂ方向に回転できないように、また、ロック位置から矢示Ｂ方向に回転できないように、回転規制がなされている。
すなわち、図２、図９及び図１０に示すように、収納部４０の開口端側には段部５３が形成され、ロータ４６には、この段部５３にロータ４６の回転軸心回りに回転自在に嵌合するフランジ部５４が形成され、このフランジ部５４の内側には、切欠部５５が形成されており、前記段部５３には、この切欠部５５に挿入するように突出するストッパ５６が形成されており、これによって、ロータ４６及びロック部材４５が所定範囲（９０°）で回転されるように構成されている。
【００３５】
したがって、図１０に示すように、ロック解除位置において、切欠部５５のロータ周方向の一方の端面５５Ａがストッパ５６に接当していることにより、ロータ４６及びロック部材４５の反矢示Ｂ方向への回転が規制され、この状態からロータ４６及びロック部材４５を矢示Ｂ方向に回転させて被係合部５１を係合部１９に嵌め入れることにより、切欠部５５のロータ周方向の他方の端面５５Ｂがストッパ５６に接当し、ロック位置において、ロータ４６及びロック部材４５の矢示Ｂ方向への回転が規制されるようになっている。
【００３６】
また、ロック機構２５は、ロック位置とロック解除位置とで、ロータ４６及びロック部材４５の回転を規制する位置決め手段５８を備えている。
この位置決め手段５８は、ロータ４６のレバーハンドル基端側に、ロータ径方向に平行な方向に貫通するスリット５９を形成することにより構成された弾性片６０と、レバーハンドル２４の内面（収納部４０内面）に形成された一対の凹所６２とによって主構成され、弾性片６０は、その外面側に突部６１（嵌合部）を有する。
【００３７】
なお、前記弾性片６０は、スリット５９によって形成されることに限定されることはなく、例えば、ロータ４６の外周面にその軸心方向に沿う切り込みを入れることによって形成される片持ちの弾性片６０としてもよく、弾性変形可能とされていればよい。
前記位置決め手段５８にあっては、ロック位置又はロック解除位置において、弾性片６０の突部６１が一方又は他方の凹所６２に嵌合することにより、ロータ４６の軸心回りの回転が規制され、ロータ４６を強制的に回転させることにより、弾性片６０が弾性変形して突部６１が凹所６２から離脱し、ロータ４６の回転が許容されるようになっている。
【００３８】
なお、本実施の形態では、突部６１が凹所６２に嵌合した状態で弾性片６０が弾性的に撓んでいて、その弾性力によりロータ４６の位置を保持するように構成されている。
また、ロック機構２５は、ロック部材４５の状態を制御して掛け金２３（クレセント１）を施解錠する錠機構６４を備えており、ロック部材４５がロック位置にあるときにロータ４６を回転できないようにして掛け金２３を施錠できるようになっている。
【００３９】
この錠機構６４は、本実施の形態では、ディスクシリンダー（又はピンシリンダー、マグネチックシリンダー等のシリンダー）によって構成されていて、レバーハンドル２４の先端側に設けられており、ロータ４６（の一部）が内筒とされて該ロータ４６にディスクタンブラー６５及びタンブラースプリングが組み込まれ、レバーハンドル２４（の一部）が外筒とされている。
レバーハンドル２４の収納部４０内面には、錠機構６４のディスクタンブラー６５が挿入されてロータ４６の回転を規制する規制溝６６が、径方向（ロータ４６の回転軸心に直交する方向）に対向するように、正面側部材４１及び背面側部材４２のそれぞれに１つずつ形成されている。
【００４０】
また、ロータ４６に形成されたキーウェイ６７は、ロータ４６の軸心方向外端側の端面に形成されており、撮み４７は、ロータ４６に形成されたキーウェイ６７に差し込まれるキーによって構成されており、撮み４７がレバーハンドル２４の突出方向先端部に設けられている。
また、キー本体６８の把持部６８ａには、樹脂製の被覆部６９がインジェクション等によって一体形成されている（なお、撮み４７は、キー本体６８のみによって構成してもよく、また、被覆部６９は樹脂製のキャップを形成してキー本体６８の把持部６８ａに外嵌されたものであってもよい）。
【００４１】
前記構成のものにあっては、撮み４７（即ち、キー）を錠機構６４のキーウェイ６７に差し込むことにより、ディスクタンブラー６５がロータ４６内に引っ込み、この状態で撮み４７を回すことによりロータ４６を回転操作することができ、ロック部材４５がロック位置にあるときに、ディスクタンブラー６５が規制溝６６に挿入可能な位置にあって、撮み４７がキーウェイ６７から引き抜き可能とされていて、このロック部材４５がロック位置にあるときに、撮み４７を錠機構６４のキーウェイ６７から引き抜けば、タンブラースプリングの付勢力によってディスクタンブラー６５がロータ４６から突出して規制溝６６に挿入し、ロータ４６の回転を規制するようになっている。
【００４２】
したがって、掛け金２３を、クレセント受け５から外れた位置から回してクレセント受け５に係合させ、その後、撮み４７を回してロック部材４５を係合部１９に係合させて撮み４７を引き抜くことにより、掛け金２３が施錠状態とされ、また、この掛け金２３が施錠された状態において、撮み４７を錠機構６４のキーウェイ６７に差し込み、該撮み４７を回してロック部材４５を係合部１９から外すことにより、掛け金２３が解錠状態とされる。
また、前記被覆部６９の側面及びレバーハンドル２４の正面先端側には、三角形の標示部７０，７１が凸設（又は凹設）されて設けられ、図３に示すように、これら標示部７０，７１が一致した状態でロック部材４５がロック位置にあることを標示するように構成されている。
【００４３】
なお、ロータ４６の軸心方向内端側には径方向外方に突出する抜止めフランジ８２が形成されており、この抜止めフランジ８２が収納部４０に形成された周溝８３に嵌合されていることにより、ロータ４６が抜け止めされている。
また、図例では、掛け金２３の係合壁２８が、正面からみて右側にあるものを示しているが、掛け金２３の係合壁２８が、正面からみて左側にあるものにあっては、レバーハンドル２４の正面側部材４１及び掛け金２３が左側用のものに変更され、その他の部材は図例のものが兼用される。
【００４４】
図１３は、本発明の第２の実施の形態を示しており、この実施の形態にあっては、前記第１の実施の形態における錠機構６４が備えられていないものである。また、撮み４７は、ロータ４６に一体成形（又は別体で成形してロータ４６に固着）されている。
その他の構成は、第１の実施の形態と略同様に構成されている。
図１４〜図１８は、本発明の第３の実施の形態を示している。
前記第１の実施の形態と異なる点を説明すると、係合部１９は支持部１８の軸心方向に沿って形成されたＶ字状の溝で構成され、ロック部材４５先端側の、係合部１９に係合する被係合部５１は、係合部１９に合致するＶ字形状に形成されている。
【００４５】
また、ロック部材４５は、レバーハンドル２４内に、支持部１８の径方向に移動自在に収納され、係合部１９に支持部１８の径方向外方（上方）から係脱自在に係合する。
また、レバーハンドル２４内には、ロータ４６とロック部材４５との間に、押圧部材７３が支持部１８の径方向に移動自在に収納されていると共に、ロック部材４５には、圧縮コイルバネ７４を収容するバネ収容部７９が形成されていて、押圧部材７３とロック部材４５との間にコイルバネ７４が介装されている。
【００４６】
また、ロータ４６には、押圧部材７３に接当するカム７５が設けられている。このカム７５には、押圧部材７３の一端側が挿脱自在に挿入される係合溝７６を有すると共に、ロータ４６を回転させることにより押圧部材７３の一端側を係合溝７６から離脱させる傾斜状のカム面７７を有する。
また、ロータ４６は、前記と同様に収納部４０内に回転自在に収納されていると共に、ピン７８によって抜け止めされている。
このピン７８は、スプリングピン又はむく軸状のピン等によって構成され、レバーハンドル２４に設けられたピン孔に圧入されている。
【００４７】
前記構成のものにあっては、図１４及び図１５に示すように、クレセント本体８が係合解除位置にあるときには、押圧部材７３の一端側が係合溝７６に挿入されていると共に、ロック部材４５の先端側は、コイルバネ７４に付勢されて支持部１８の外周面に接当しており、クレセント本体８が係合解除位置から係合位置手前に至るまでは、ロック部材４５が支持部１８の外周面上を摺動する。
また、クレセント本体８が係合位置に位置すると、図１６に示すように、コイルバネ７４の付勢力により、ロック部材４５の先端側が係合部１９に係合する。
【００４８】
この状態では、クレセント本体８を係合位置から係合解除位置に強制的に回転させることにより、ロック部材４５の先端側が係合部１９内面に押圧されて、コイルバネ７４の付勢力に抗して係合部１９から離脱するようになっている。
そして、クレセント本体８の係合位置において、ロータ４６を軸心回りに、図１６の矢示Ｃ方向に９０°回転させると、押圧部材７３の一端側がカム面７７に押圧されて押圧部材７３が係合溝７６から離脱し、コイルバネ７４を圧縮してロック部材４５に接当し、これにより、ロック部材４５の係合部１９からの離脱を不能とし、クレセント本体８の係合位置から係合解除位置への強制的な回転を不能とする。
【００４９】
なお、図例のものは、第１の実施の形態における錠機構があるものを示しているが、第２の実施の形態のように錠機構がないものであってもよい。
また、図１８に示すように、ロータ４６のフランジ部５４には、ストッパ５６に接当してロータ４６の回転規制をする当たり部８０が２箇所形成されており、ロータ４６が９０°の角度の範囲で回転するように構成されている。
その他の構成は第１の実施の形態と略同様に構成されている。
図１９は本発明の第４の実施の形態を示しており、ロータ４６に嵌合溝８５を形成すると共に、撮み４７に、前記嵌合溝８５に嵌脱自在で且つ撮み４７がロータ４６と一体回転するように嵌合する嵌合部８６が形成されていて、撮み４７がロータ４６に対して着脱自在とされているものである。
【００５０】
また、嵌合溝８５は、撮み４７を取り外したときに、嵌合溝８５にドライバー等を差し込んでロータ４６を回せなくするような構造に形成され、本実施の形態では、嵌合溝８５内に棒体８１を設けた構造としており、嵌合部に８６には前記棒体８１が挿入する挿入孔を形成している。
このように構成することにより、錠機構がなくても、撮み４７に鍵の機能をもたせることができる。
なお、本発明のクレセント１は引き違いサッシュに限らず、上げ下げサッシュ等に採用してもよい。
【００５１】
【発明の効果】
本発明によれば、クレセントのレバーハンドルに、掛け金をクレセント受けに係合させた状態において、台座側に設けられた係合部に係脱自在に係合して掛け金の回転を阻止するロック部材を組み込むと共に、このロック部材を操作する撮みをレバーハンドルの突出方向先端部に設けたので、サッシュのクレセントが取り付けられた側の戸の開口量を大きく採れるという効果を奏する。
また、ロック部材を操作する撮みがレバーハンドルの突出方向先端部に設けられているので、例えば、掛け金をクレセント受けに係合させる場合、レバーハンドルを把持して掛け金を回転させ、該掛け金をクレセント受けに係合させた後、手を持ち替えずに撮みが操作でき、連続した動作で、レバーハンドル（掛け金）の操作と撮みの操作とを行え、操作性がよい。
【００５２】
また、ロック部材と、このロック部材の状態を制御して掛け金を施解錠するシリンダーとをレバーハンドルに組み込むと共に、前記シリンダーの内筒を掛け金の回転軸心に略直交する方向の軸心回りに回転自在としてレバーハンドルに組み込むことにより、シリンダーのタンブラーの個数を多くでき、これにより、シリンダーを施解錠操作するキーの鍵違いが豊富に採れるという効果を奏する。
また、ロック部材は、レバーハンドル内に、掛け金の回転軸心に略直交する方向の軸心回りに回転自在に収納され、掛け金がクレセント受けに係合した状態において、撮みをロック部材と一体的に回転させることによりロック部材が係合部に対して係脱するように構成して、撮みの操作方向とロック部材の回転方向とを一致させることにより、構造の簡素化が図れる。
【図面の簡単な説明】
【図１】第１の実施の形態に係るクレセントの正面断面図である。
【図２】第１の実施の形態に係るクレセントの側面断面図である。
【図３】クレセント及びクレセント受けを引違い戸に取り付けた状態の斜視図である。
【図４】クレセントの正面図である。
【図５】クレセントの斜視図である。
【図６】台座の正面図である。
【図７】調整座の正面図である。
【図８】クレセント本体の位置決め機構の背面図である。
【図９】クレセント本体を内面側からみた図である。
【図１０】レバーハンドルの底面図である。
【図１１】ロック部材の動作を示すクレセントの正面図である。
【図１２】ロック部材の動作を示すクレセントの平面図である。
【図１３】第２の実施の形態に係るクレセントの正面断面図である。
【図１４】第３の実施の形態に係るクレセントの正面断面図である。
【図１５】第３の実施の形態に係るクレセントの側面断面図である。
【図１６】ロック部材が係合部に係合した状態を示す正面図である。
【図１７】ロック機構を示す正面図である。
【図１８】ロータの回転規制機構の平面図である。
【図１９】第４の実施の形態に係るロータ及び撮みの斜視図である。
【符号の説明】
１    クレセント
２    サッシュ
５    クレセント受け
７    台座
１８    支持部
１９    係合部
２３    掛け金
２４    レバーハンドル
３０    支軸
３７    係合面
３８    接当体
３９    付勢手段
４０    収納部
４１    正面側部材（一方側）
４２    背面側部材（他方側）
４５    ロック部材
４６    ロータ（内筒）
４７    撮み
５９    スリット
６０    弾性片
６１    突部
６２    凹所
６４    錠機構（シリンダー）
４６    内筒（４６）
【図１】
2004211369.tif 000003
【図２】
2004211369.tif 000004
【図３】
2004211369.tif 000005
【図４】
2004211369.tif 000006
【図５】
2004211369.tif 000007
【図６】
2004211369.tif 000008
【図７】
2004211369.tif 000009
【図８】
2004211369.tif 000010
【図９】
2004211369.tif 000011
【図１０】
2004211369.tif 000012
【図１１】
2004211369.tif 000013
【図１２】
2004211369.tif 000014
【図１３】
2004211369.tif 000015
【図１４】
2004211369.tif 000016
【図１５】
2004211369.tif 000017
【図１６】
2004211369.tif 000018
【図１７】
2004211369.tif 000019
【図１８】
2004211369.tif 000020
【図１９】
2004211369.tif 000021